(57)【要約】【課題】本を破損することなく、確実に、簡単な機構でページを捲る。【解決手段】捲るページ２０２ａをずらし手段３００ａによって本内側方向に次ページが２０２ｂが現れるようにずらして、捲りレバー４０１ａを現れた次ページ２０２ｂ面上に配置させ、ずらしレバーアームａの押圧を解放させて捲るページ２０２ａを捲りレバー４０１ａ上に被せ、捲りレバー４０１ａを回動することによってページを捲ることを特徴とする。【選択図】図１
2007223297.tif 000002
【特許請求の範囲】
【請求項１】
本を支持する支持部１０１、前記支持部１０１に固定され本２０１のページを捲る捲りレバー４０１ａ、前記支持部１０１に固定され本２０１の捲りページ２０２ａに係合して捲りページ２０２ａをずらすずらし手段３００ａからなり、
前記ずらし手段３００ａによって本の内側方向に前記捲りページ２０２ａをずらし、ずらした前記捲りページ２０２ａの次に現れたページ２０２ｂの端部表面部に前記捲りレバー４０１ａを配置し、前記ずらし手段３００ａの前記係合を解放して、前記捲りレバー４０１ａに被さった前記捲りページ２０２ａを前記捲りレバー４０１ａを回動することによってページ捲りを行うことを特徴とする本自動捲り装置。
【請求項２】
前記捲りレバー４０１ａはクランク状に形成され、ページ当接部が本２０１のページ上から外れない範囲を回動することを特徴とする請求項１記載の本自動捲り装置。
【請求項３】
前記ずらし手段３００ａはアーム状に形成され、先端部に捲るページに押圧する摩擦部材を有し、前記摩擦部材を前記捲りページ２０２ａに押圧し前記アームの軸方向にスライドして前記捲るページ２０２ａをずらすことを特徴とする請求項１記載の本自動捲り装置。
【請求項４】
前記ずらし３００ａ手段はアーム状に形成され、先端部に捲るページに押圧して回転するローラーを有し、前記ローラを回転して捲るページをずらすことを特徴とする請求項１記載の本自動捲り装置。
【請求項５】
前記ずらし手段３００ａで捲りページ２０２ａををずらす以前に、前記捲りレバー４０１ａを前記捲りページ２０２ａに押圧し、前記ずらし手段３００ａで僅かに捲りページ２０２ａをずらすページ捲り初期動作を有することを特徴とする請求項１記載の本自動捲り装置。
【請求項６】
前記ずらし手段３００ａをページに押圧し、前記ずらし手段３００ａで前記捲るページ２０２ａをずらす方向とは逆方向にページを引くことを特徴とする請求項１記載の本自動捲り装置。
【請求項７】
前記捲りレバー４０１ａのページ当接部と前記ずらし手段３００ａのページ当接部の中間位置の本と支持台との間に突部を設けることを特徴とする請求項１記載の本自動捲り装置。
【発明の詳細な説明】
【技術分野】
【０００１】  本発明は、本のページを自動で捲る装置に関するものである。
【背景技術】
【０００２】  本のページを捲る装置は色々な方式があり、例えばページの見開き面に鉄片等の磁性体のを張り付け、ページを捲る捲りレバーの先端にコイルを配し、電流を流してページに張り付けた磁性体をを吸着してページを捲る装置がある。この方式では、見開き面からページを吸着して１枚を持ち上げるので、確実に捲ることが出来るが、ページ数が多い本を捲る場合はページ１枚１枚に磁性体を張るという膨大な作業が発生する。また、他の方式として見開いたページ上に捲りレバーを押圧し、この捲りレバーの先端に設けられた摩擦部材によってページを捲る装置がある。この方式では、見開いた本の表面は綴じ代部が高くなり全体的には波を打っているので、捲りレバーを常に一定の力でページに押圧して捲る事が難しいので、安定して確実にページを捲る事は困難である。【０００３】  また他の方式では、捲りレバーを捲るページの下に本の外側から挿入し、捲りレバーを移動させてページを捲る装置（特公昭５９−１９８３９、特開昭５５−１１８８９６）もあるが、捲るページが十分に持ち上げられない状態で捲りレバーを挿入すると、ページを破損するという重大な問題もある。
また、通常捲り装置としては、ページと次のページを剥がす剥がし機構、ページ捲り機構、本を開いた状態に保つページ押さえ機構等が必要で、これら機構部を実現化すると形状、重量も大きくなり、その結果価格も高くなり個人が購入して使用しにくいという問題点もある。
【発明の開示】
【発明が解決しようとする課題】
【０００４】  上記の如く、従来技術に係る本自動捲り装置は、磁性体を本のページに張り付ける等の煩雑な作業が必要な装置や、確実にページを捲る機構を有していない装置、あるいは捲り動作によって本を破損したり、また確実に捲ることが出来る装置としては形状が大型、高価格であるのが現状である。【０００５】  本発明は、このような点に鑑みてなされたものであり、本を破損することなく確実にページを捲り、構造を簡単にして小型、低価格な装置を提供することにある。
【課題を解決するための手段】
【０００６】  上述の目的を達成する本発明の本自動捲り装置は、捲るページをずらし手段を押圧させながら本内側方向に次ページが現れるようにずらして、捲りレバーを現れた次ページ面上に配置させ、ずらし手段の押圧を解放させて捲るページを捲りレバー上に被せ、捲りレバーを移動することによってページを捲ることを特徴とする。
また、前記捲りレバーはクランク状をなしてページ当接部が本のページ上から外れない範囲を回動しても良い。
前記ずらし手段はアーム状に形成され、先端部に捲るページに押圧する摩擦部材を有し、前記摩擦部材を前記捲りページに押圧し前記アームの軸方向にスライドして前記捲るページをずらすようにしても良い。
また、前記ずらし手段はアーム状に形成され、先端部に捲るページに押圧して回転するローラーを有し、前記ローラを回転して捲るページをずらしても良い。
また、前記ずらし手段で捲りページををずらす以前に、前記捲りレバーを前記捲りページに押圧し、前記ずらし手段で僅かに捲りページをずらすページ捲り初期動作を有するしても良い。
また、前記ずらし手段をページに押圧し、前記ずらし手段で前記捲るページをずらす方向とは逆方向にページを引いても良い。
また、前記捲りレバーのページ当接部と前記ずらし手段のページ当接部の中間位置の本と支持台との間に突部を設けても良い。
【発明の効果】
【０００７】  本発明の本捲り装置によれば、捲るページをずらし手段によって本内側方向にずらし、捲りレバーを次のページ上に配置して、ずらし手段と捲るページをの押圧を解放すると、捲るページはずらされた状態から元の状態に戻るときにページ端部の中央部が湾曲して捲りレバーの上を越えて戻るので、捲りレバーに捲りページが引っ掛かる事無く捲るページが捲りレバーに被さるので、確実に捲りレバーでページを捲ることが出来、ページを破損することが無くなるという利点がある。【０００８】  また、捲りレバーのページに当接する先端部が常時ページ上を移動して動作を行うようにすれば、捲りレバーを本の外側から挿入する際にページに衝突する事が無いので、ページを破損することが無くなる利点がある。
また、ずらし手段を前記のページをずらす機能と、ページを開いた状態に保つようにページずらし動作時以外はページを押さえるページ押さえ機能を有するようにすれば、装置のページ押さえ機構を省くことが出来る。更に、捲り動作以外の時にめくり手段を捲られたページ上に押圧し、捲り方向とは逆方向の本の中心部から外方向にページを引っ張ると、弛んだページが延びた状態となるため、ページの上部、側部、下部を個々に押さえる必要が無くなる利点がある。
また、ずらし手段をアーム状に形成し、先端部に捲るページに押圧する摩擦部材を有し、スライドして捲るページをずらすようにすれば、簡単な構造で捲るページをずらす事が出来る。【０００９】  また、ずらし手段をアーム状に形成し、先端部に捲るページに押圧して回転するローラーを設け、このローラを回転して捲るページをずらすようにすれば、捲るページを複数枚ずらす事も出来、１回の捲り動作で複数枚ページを捲ることが出来る。
また、捲りレバーを捲るページに押圧させてからずらし手段をずらすようにすれば、ページのずらす部分の近傍を固定する事が出来るので、捲るページを湾曲させて次のページから分離するという事が確実に出来、確実にページを捲り事が出来るという利点がある。
また、ずらし手段でページをずらし、この押圧を解放してページを捲りレバーに被せ、捲りレバーを僅かに移動してページをずらし手段上に被せる一連の動作を繰り返した後に捲りレバーによってページを捲れば、確実にまとめての複数枚めくりを行うことができる。【００１０】  また、前記捲りレバーのページ当接部と前記ずらし手段のページ当接部の中間位置の本と支持台との間に突部を設ければ、前記捲りレバーを捲りページに押圧し、前記ずらし手段を捲りページに押圧して捲りページをずらす際に、捲りページの捲りレバー当接部とずらし手段の当接部間は若干湾曲状態となるため、弱い力で簡単に捲るページをずらすことが出来るという利点がある。
また、ずらし手段及び捲りレバーは本の上部、もしくは下部側のみに設置されるので装置の形状は小型となり、非常に手軽に読書を行うことができる。
【発明を実施するための最良の形態】
【００１１】以下、本発明の実施形態を図面に基づき詳細に説明する。【００１２】  図１は、本発明装置の第１の実施例の全体構成図である。支持台１０１の中央部に本２０１のページを捲る捲りレバー４０１ａ及びこの捲りレバー４０１ａを回転させる回転駆動部４０２が固定されている。捲りレバー４０１ａはクランク状の形状をしていて先端部がページ上に配置されるようになっており、この回転駆動部４０２によって捲りレバー４０１ａ先端部が本２０１の綴じ代線上を軸として回転するようになっている。【００１３】  支持台１０１の左右の端部にはページをずらすずらし手段３００ａ，３００ｂに、ずらしアーム３０１ａ，３０１ｂと、このずらしアーム３０１ａ，３０１ｂの先端に、スライドしたときに摩擦力を生じるようにページを押圧する部分にゴム等の部材を設けた摩擦パッド３０２ａ、３０２ｂ、及び摩擦パッド３０２ａ、３０２ｂがページに押圧してページをページ面と水平方向にスライドしてずらしたり、またページをずらした後に摩擦パッド３０２ａ，３０２ｂを上方向に持ち上げてページとの押圧を解放したりするスライド動作を行うスライド駆動部３０３ａ，３０３ｂがそれぞれ配設されている。【００１４】  本２０１は、綴じ代線上が２０３が捲りレバー４０１の回転軸上に一致するように支持台１０１に固定されている。【００１５】  図２は本発明装置の最初の段階の捲り動作を示す図である。最初に本２０１の右下端部のページ２０２ａ上に押圧された捲りレバー３０１ａの先端に取り付けられた摩擦パッド３０２ａがスライドして、ページ２０２ａを本２０１の綴じ代側の上端方向にずらす。この状態において、本２０１の下端においてずらされたページ２０２ａの下には次のページ２０２ｂが現れる。捲りレバー４０１ａが回転して捲りレバー４０１ａの先端部がこの現れたページ２０２ｂに当接する。【００１６】  図３は本発明装置の中間の段階の捲り動作を示す図である。ずらしアーム３０１ａを上方向に持ち上げ、ページ２０２ａと摩擦パッド３０２ａの押圧を解放する。ページ２０２ａはずらし動作によって湾曲した状態から復元力によって元の平面状態に戻るが、その際にページ２０２ａの下端部は上方向に膨らんだ状態で元に戻る。この性質によって、捲るページ２０２ａは次のページ２０２ｂ上にある捲りレバー４０１ａに当たることなく捲りレバー４０１ａに被さる。【００１７】  図４は本発明装置の最終の段階の捲り動作を示す図である。捲りレバー４０１ａに捲るページ２０２ａが被さった状態から捲りレバー４０１ａを捲り方向に回転させると、捲るページ２０２ａは捲りレバー４０１ａの先端部に案内されて捲られる。この際、捲りレバー４０１ａの先端部は捲りページ２０２ａに接する長さは短いが、ページの紙の剛性によって、ページが折れることなくスムーズに捲ることが出来る。
実験の結果、ページの紙の剛性の強さにおいて、紙が薄くて剛性が弱いほど捲りレバー４０１ａを短くして捲るページ２０２ａに接する先端部が本２０１の綴じ代に近い方が、ページ２０２ａを捲る際にページ２０２ａが折れることなく捲ることが出来る事が判明した。【００１８】  図５は本発明装置の他の最初の捲り動作を示す図である。捲りページ２０１ａをずらす初期段階において、捲りレバー４０１ａを回転して捲りページ２０１ａに押圧し、摩擦パッド３０２ａを捲りページ２０２ａに押圧しながらスライドさせる。こうすることによって、捲りページ２０２ａとその次のページ２０２ｂとを確実に分離することが出来る。【００１９】  上記説明した動作を、本２０１の左側下端に配されているずらしアーム３０１ｂ、摩擦パッド３０２ｂ、スライド駆動部３０３ｂによって行うと、上記説明した捲り動作とは逆方向にページを捲ることが出来る。
尚、捲り動作以外の時に、ずらしアーム３０１ａ，３０１ｂをページに押圧して本２０１の外側にずらすようにすれば、ページの弛みが延びて本が平面状に開くため、本の各端部を押さえる必要が無くなる。従って、ページを押さえる機構をなくすことが出来る。【００２０】  本実施例において、ずらし手段３００ａ，３００ｂに先端部に摩擦部材３０２ａ，３０２ｂを設けたアームを用いたが、先端部にローラを設け、捲りページに押圧してこのローラを回転させて捲りページを、ずらすようにしても良い。また、この先端にローラを用いたものを使用すれば、複数枚のページをずらす事が出来、これにより一度の捲り動作で複数枚を捲ることが出来る。
また、摩擦パッド３０２ａ，３０２ｂはページとの摩擦を発生させる手段であればいかなる手段でもよく、例えばページの接合面にゴム等を使用せずに凹凸の形状であっても良い。【００２１】  図６は本発明装置の第２の実施例を示す図である。捲りレバー以外は上記第１の実施例と同様である。捲りレバー４０１ｂはページ面とほぼ並行に回転し、捲りレバー４０１ｂが回転してページ２０２ｂの下端に当接するように回転軸が僅かに本２０１内側に傾斜している。捲るページ２０２ａを捲りレバー４０１ｂに被せる動作は上記第１の実施例と同じであり、捲りレバー４０１ｂを回転することによってページ２０２ａを捲る。【００２２】  図７は本発明装置の第３の実施例を示す図である。捲りレバー以外は上記第１の実施例と同様である。捲るページ２０２ａを捲りレバー４０１ｂに被せる動作は上記第１の実施例と同じであり、捲りレバー４０１ｃはスライド駆動部３０３ｃによって本２０１のページ面と平行に移動し捲りページ２０２ａを捲る。【００２３】  以上の如く本発明を詳細に説明したが、係る動作の制御はマイクロコンピュータ等によって制御することが望ましい。
また、全ての実施形態において本の下端部側に捲り機構を設けて捲り動作を行ったが、本の上端部側に捲り機構を設けても同様の動作が行われる。
また、捲りレバーのページ当接部とずらし手段のページ当接部の中間位置の本と支持台との間に突部を設けるようにすれば、捲りレバーを押圧してずらし手段を押圧してずらすと、ページはこの突部によって湾曲されているので、捲るページを簡単に確実にずらす事が出来る。
【産業上の利用可能性】
【００２４】  本発明は、身体障害の上肢が不自由な方の読書装置、両手を使用した状態で作業をしているときの本の捲り装置、両手を使用する楽器演奏時の楽譜の捲り装置等として適用できる。
【図面の簡単な説明】
【００２５】
【図１】本発明の第１の実施の形態に係る全体構成を示した図である。
【図２】本発明の第１の実施の形態に係る最初の段階の捲り動作を示した図である。
【図３】本発明の第１の実施の形態に係る中間の段階の捲り動作を示した図である。
【図４】本発明の第１の実施の形態に係る最終の段階の捲り動作を示した図である。
【図５】本発明の第１の実施の形態に係る他の最初の段階の捲り動作を示した図である。
【図６】本発明の第２の実施の形態を示した図である。
【図７】本発明の第３の実施の形態を示した図である。
【符号の説明】
【００２６】１０１                        支持台
２０１                        本
２０２ａ、２０２ｂ            ページ
２０３                        綴り代
３００ａ，３００ｂ            ずらし手段
３０１ａ，３０１ｂ            ずらしアーム
３０２ａ，３０２ｂ            摩擦パッド
３０３ａ，３０３ｂ，３０３ｃ  スライド駆動部
４０１ａ，３０３ｂ，３０３ｃ  捲りレバー
４０２                        回転駆動部
【図１】
2007223297.tif 000003
【図２】
2007223297.tif 000004
【図３】
2007223297.tif 000005
【図４】
2007223297.tif 000006
【図５】
2007223297.tif 000007
【図６】
2007223297.tif 000008
【図７】
2007223297.tif 000009